(57)【要約】【課題】フェンス本体の脚部を不使用時にはフェンス本体内にコンパクト収納でき、使用時はおもしを載せなくても風で倒れづらい状態で設置ができるバリケードフェンスを提供する。【解決手段】２本の支柱パイプ２、２と横パイプ３とで形成したフェンス本体１の面内に、各支柱パイプ２を回転軸にして水平方向に回動自在な一対の脚部５、５が、当該支柱パイプ２に所定高さＨ位置に地面から浮いた状態で設けられている。前記脚部５、５は、フェンス本体１の面内に収納され、使用時には、フェンス本体１の前面又は後面に回動して突き出され、その突き出た一対の脚部５、５によってフェンス本体１が傾斜状態を維持して立設される。【選択図】 図１
2020066907.tif 000002
【特許請求の範囲】
【請求項１】
パイプと継手で組み立てたバリケードフェンスにおいて、
２本の支柱パイプと横パイプとで形成したフェンス本体の面内に、各支柱パイプを回転軸にして水平方向に回動自在な一対の脚部が、当該支柱パイプに所定高さ位置に地面から浮いた状態で設けられており、
前記脚部は、前記フェンス本体の面内に収納され、使用時には、同フェンス本体の前面又は後面に回動して突き出され、その突き出た一対の脚部によってフェンス本体が傾斜状態を維持して立設され、かつ、支柱パイプに対し上下方向にスライド移動自在に支持され、当該脚部を支柱パイプの所望位置で固定することによって、フェンス本体が所望の傾斜角度で傾斜して立設自在に構成されていることを特徴とする、バリケードフェンス。
【請求項２】
前記フェンス本体は、支柱パイプの上端部と、下方の横パイプの略中央部に架け亘る筋交いが設けられ、前記筋交いと下方の横パイプと支柱パイプとで囲まれたスペースが収納スペースに形成されていると共に、
前記脚部は、前記収納スペースに収まる大きさの傾斜パイプと下部の水平パイプを有し、前記傾斜パイプと下部の水平パイプの各基端部が支柱パイプに支持され、当該脚部がフェンス本体の収納スペースに収納自在に構成されていることを特徴とする、請求項１に記載したバリケードフェンス。
【請求項３】
前記支柱パイプに着脱自在な位置決め具が設けられており、支柱パイプと筋交いとの連結位置以下の所望の高さ位置で、脚部は前記位置決め具によって支柱パイプに位置決め固定されることを特徴とする、請求項２に記載したバリケードフェンス。
【発明の詳細な説明】
【技術分野】
【０００１】
本発明は、パイプと継手で組み立てたバリケードフェンスの技術分野に属し、さらに言えば、傾斜して立設可能とすることにより風で倒れづらく、及び構成部材の一部を回動可能とすることによりコンパクト収納を可能としたバリケードフェンスに関する。
【背景技術】
【０００２】
バリケードフェンスに関し、本出願人は、下記特許文献１に係る特許第６１０１０２４号を取得し、実用に供している。
この特許文献１に記載されたバリケードフェンスは、同文献１の図１に示すように、２本の支柱パイプ１をそれぞれ鉛直に支持するベース部と、２本の支柱パイプ１と横パイプ２とから成る外枠部と２本の支柱パイプ１、１間に横架される連結パイプユニット３、及びサポート部６、６’とで構成されており、該ベース部は、支柱パイプ１を安定した状態で設置するためのベースパイプ１１と２本の傾斜パイプ１２、及びこれらを支柱パイプ１へ連結するための継手１３、１４、１５とからなる。
そして、前記連結パイプユニット３を水平方向へ回動可能な構成で、フェンスの数量を削減可能にするだけでなく、直線方向に係らず様々な経路パターンに沿って連結でき、作業員の負荷も少ない、連結方向が変えられ、人が持ち運びやすい大きさ、形状、重量で構成されている（符号は援用すると共に、同文献１の特許請求の範囲を参照）。
【先行技術文献】
【特許文献】
【０００３】
【特許文献１】特許第６１０１０２４号公報
【発明の概要】
【発明が解決しようとする課題】
【０００４】
例えば、公共施設・競技場等で開催されるイベントなどにおいては、人の混雑を整理したり、人の流れを制御・誘導したりするためにバリケードフェンスを用いた誘導路の形成が行われているが、短時間で作業しなくてはならないことから、人海戦術により設置をするため、人が運べる重量に設定をしている関係で、比較的軽く、風で倒れやすくなっていた。
そこで、脚部におもしを載せて倒れ難くして実施しているが、おもし自体に重量があるため、作業者にとってはおもしを載せる作業が手間であり負担であった。
更に、上記特許文献１に開示されたバリケードフェンス等の従来の形は、収納する時に脚部がフェンス本体の幅内に収まらないので、輸送時にデッドスペースが生じることから、フェンス本体に脚部が収納可能なバリケードフェンスが要望されていた。
【０００５】
したがって、本発明の目的は、上記の課題を鑑みてなされたもので、フェンス本体の脚部を不使用時にはデッドスペースなくフェンス本体内にコンパクト収納でき、使用時はおもしを載せなくても風で倒れづらい状態で設置ができて、使い勝手に優れたバリケードフェンスを提供することである。
【課題を解決するための手段】
【０００６】
上述の課題を解決するための手段として、請求項１に記載した発明に係るバリケードフェンスは、パイプと継手で組み立てたバリケードフェンスにおいて、
２本の支柱パイプ２、２と横パイプ３とで形成したフェンス本体１の面内に、各支柱パイプ２を回転軸にして水平方向に回動自在な一対の脚部５、５が、当該支柱パイプ２に所定高さＨ位置に地面から浮いた状態で設けられており、
前記脚部５、５は、前記フェンス本体１の面内に収納され、使用時には、同フェンス本体１の前面又は後面に回動して突き出され、その突き出た一対の脚部５、５によってフェンス本体１が傾斜状態を維持して立設され、かつ、支柱パイプ２に対し上下方向にスライド移動自在に支持され、当該脚部５を支柱パイプ２の所望位置で固定することによって、フェンス本体１が所望の傾斜角度θで傾斜して立設自在に構成されていることを特徴とする。
【０００７】
請求項２に記載した発明は、請求項１に記載したバリケードフェンスにおいて、前記フェンス本体１は、支柱パイプ２の上端部２０と、下方の横パイプ３（３ａ）の略中央部に架け亘る筋交い４が設けられ、前記筋交い４と下方の横パイプ３（３ａ）と支柱パイプ２とで囲まれたスペースが収納スペースＳに形成されていると共に、
前記脚部５は、前記収納スペースＳに収まる大きさの傾斜パイプ５０と下部の水平パイプ５１を有し、前記傾斜パイプ５０と下部の水平パイプ５１の各基端部５０ａ、５１ａが支柱パイプ２に支持され、当該脚部５がフェンス本体１の収納スペースＳに収納自在に構成されていることを特徴とする。
【０００８】
請求項３に記載した発明は、請求項２に記載したバリケードフェンスにおいて、前記支柱パイプ２に着脱自在な位置決め具６が設けられており、支柱パイプ２と筋交い４との連結位置以下の所望の高さ位置で、脚部５は前記位置決め具６によって支柱パイプ２に位置決め固定されることを特徴とする。
【発明の効果】
【０００９】
本発明に係るバリケードフェンスによれば、フェンス本体の面内に、各支柱パイプを回転軸にして水平方向に回動自在な一対の脚部が、当該支柱パイプに所定高さ位置に地面から浮いた状態で設けられ、当該脚部を不使用時にはデッドスペースなくフェンス本体内にコンパクト収納できる一方、使用時には当該脚部を回転させて傾斜状態を保持できる使い勝手に優れ、かつ脚部が支柱パイプを上下にスライドしてフェンス本体の傾斜角度が変わり、風の強さに応じて、所定の範囲内でフェンス本体の傾きが変更できることにより風で倒れづらく、おもしを載せることなく設置ができることから、作業効率の向上にも寄与する。
【図面の簡単な説明】
【００１０】
【図１】本発明のバリケードフェンスの全体構成を示した正面図である。
【図２】Ａは、使用時に脚部が突き出された状態のバリケードフェンスを示した側面図、Ｂは、Ａの状態での使用状態を示した側面図である。
【図３】バリケードフェンスの使用状態を示した斜視図である。
【図４】Ａは、脚部の高さ位置の変更要領を示した説明図（側面図）、Ｂは、Ａの脚部の高さ位置の変更に伴って傾斜角度が異なる要領を示した説明図である。
【図５】Ａは、脚部の上方のＴ形継手の固定要領を示した説明図（側面図）、Ｂは、同下方のＴ形継手の固定要領を示した説明図である。
【図６】Ａは位置決め具、Ｂは固定具を示した拡大説明図である。
【図７】傾斜パイプの基端部に差し込まれたＴ形継手の別形態を示した拡大斜視図である。
【発明を実施するための形態】
【００１１】
以下に、本発明に係るバリケードフェンスの実施形態を、図面にしたがって説明する。
図１と図３は、本発明にかかるバリケードフェンスの全体構成を示している。
このバリケードフェンスは、パイプ（例えば、樹脂被覆鋼管）と継手（例えば、Ｔ形等の樹脂製継手）とで組み立てられて成り、左右２本の支柱パイプ２、２と上下２本の横パイプ３、３とで形成したフェンス本体１の面内に、各支柱パイプ２を回転軸にして水平方向に回動自在な一対の脚部５、５が、当該支柱パイプ２に所定高さＨの位置に地面から浮いた状態で設けられている（図２Ａ）。そして、脚部５、５は、フェンス本体１の面内に収納され、当該バリケードフェンスの使用時には、同フェンス本体１の前面（又は後面）に回動して突き出され、その突き出た一対の脚部５、５によってフェンス本体１が傾斜状態を維持して立設される構成である。
ちなみに、図示例にかかる本バリケードフェンスのフェンス本体１の主要な構成要素の大きさは、一例として、支柱パイプ２の高さが１１００ｍｍ程度、横パイプ３の長さが１８００ｍｍ程度、各種継手１１〜１４の直径（φ）が２８ｍｍ程度の各パイプに適用できるサイズで実施されている。
【００１２】
前記フェンス本体１は、左右２本の支柱パイプ２、２を剛性を確保した安定した状態で立設するため、垂直配置の同２本の支柱パイプ２、２間を横架する水平配置の上下２本の横パイプ３、３と、前記支柱パイプ２と下方の横パイプ３（３ａ）に架け亘る筋交い４、４と、中央の垂直パイプ８と中央の水平パイプ９、及びこれらのパイプを連結するための各種継手１１、１２、１３、１４とから成っている。
すなわち、当該フェンス本体１は、下方の横パイプ３（３ａ）の中央部に設けたＴ形継手１１が逆Ｔ字状で、その水平方向側の貫通する嵌合筒を前記横パイプ３（３ａ）に通すと共に、当該下方の横パイプ３（３ａ）の両端部に、貫通する嵌合筒を垂直に配置したＴ形継手１１が、その水平方向側の嵌合筒に横パイプ３（３ａ）の両端部が挿入して固定されて成り、そのＴ形継手１１の垂直方向側の嵌合筒には、支柱パイプ２をそれぞれ通して、同支柱パイプ２の上端部に設けたＬ形継手１２の垂直方向側の嵌合筒に差し込まれる。そして、上方の横パイプ３の中央部のＴ形継手１１の貫通する嵌合筒が通された当該上方の横パイプ３の両端部が、前記支柱パイプ２の上端部におけるＬ形継手１２の水平方向の嵌合筒にそれぞれ差し込んで固定することにより、フェンス本体１の外枠が組み立てられている。
【００１３】
また、前記フェンス本体１には、支柱パイプ２の上端部２０と、下方の横パイプ３（３ａ）の略中央部に架け亘る筋交い４が設けられ、前記筋交い４と下方の横パイプ３（３ａ）と支柱パイプ２とで囲まれたスペースが、フェンス本体１の面内に後述する脚部５が収納自在な収納スペースＳに形成されている。
すなわち、パイプでなる傾斜状の筋交い４は、その両端部に二方継手１３、１３が設けられており、各下方の二方継手１３の傾斜方向側の嵌合筒に筋交い４のその一端が差し込まれると共に、上方の二方継手１３の傾斜方向側の嵌合筒にその他端が差し込まれる。また、下方の二方継手１３の水平方向側の嵌合割体が、前記下方の横パイプ３（３ａ）におけるＴ形継手１１の近傍に上側からパイプ表面へ嵌め込まれ、上方の二方継手１３の垂直方向側に位置した嵌合割体が、中央部の前記支柱パイプ２におけるＬ形継手１２の近傍に内側方向からパイプ表面へ嵌め込まれ固定されている。
【００１４】
よって、フェンス本体１の面内の左右において、筋交い４と下方の横パイプ３（３ａ）と支柱パイプ２とで二等辺三角形状に囲まれたスペースが、左右の脚部５、５がそれぞれ収納自在な収納スペースＳ、Ｓとして形成されている。
なお、中央の垂直パイプ８と中央の水平パイプ９によって、前記筋交い４、４を補剛し、中央の垂直パイプ８は、フェンス本体１をなす上下の横パイプ３、３（３ａ）の中央部のＴ形継手１１、１１に架け亘るもので、その中央部に配置の十字継手１４の垂直方向側の嵌合筒が通されて、前記Ｔ形継手１１、１１の垂直方向側の嵌合筒に差し込まれている。また、前記十字継手１４の水平方向側の嵌合筒に差し込まれた中央の水平パイプ９の両端部は二方継手１３の嵌合筒に差し込まれて、同二方継手１３の嵌合割体が、前記傾斜状の筋交い４のパイプ表面に上側から嵌め込まれ固定されている。
【００１５】
脚部５について説明する。この脚部５は、上述したフェンス本体１の収納スペースＳに収まる大きさの傾斜パイプ５０と下方の水平パイプ５１が、垂直パイプ５２に接続されて成り、前記傾斜パイプ５０と下方の水平パイプ５１の各基端部５０ａ、５１ａが支柱パイプ２に支持されて、フェンス本体１の収納スペースＳに収納自在な構成とされている。
すなわち、予め収納スペースＳの外枠を形成する支柱パイプ２に、上下２つのＴ形継手１１、１１の各垂直方向側の貫通する嵌合筒を通して、垂直パイプ５２で傾斜パイプ５０と水平パイプ５１の上下間を繋げて、略４５°で傾斜すると共に、その上部が若干曲がって水平状に形成された傾斜パイプ５０の上方基端部５０ａ及び水平パイプ５１の基端部５１ａを、収納スペースＳ内の位置で前記支柱パイプ２に通されている上下それぞれのＴ形継手１１に繋げている。従って、脚部５は支柱パイプ２を回転軸に回動自在となり、かつ支柱パイプ２の上下方向にスライド自在となっている。なお、脚部５が捩れる心配がなければ、前記垂直パイプ５２を用いない形態で実施することも可能である。
【００１６】
傾斜パイプ５０の下方先端は尖った先鋭先端部１０に形成されている。支柱パイプ２の下端に形成のやはり尖った先鋭先端部１０と共に、当該バリケードフェンスを傾斜させた使用時に不動状態を維持する（図２Ｂ）。
また、図４で実線で示した脚部５が、地表からの高さＨの位置となるようにＴ形継手１１の垂直方向の端部に接触させて位置決め具６が支柱パイプ２に固定されているから（図４Ａ）、かかる状態でフェンス本体１を傾けると当該脚部５は、傾けた前面又は後面に突き出し、そのまま地表に接地させて傾斜状態で立設することができる。そのときのバリケードフェンスの傾斜角度はθである（図４Ｂ）。次に、位置決め具６を外せば、最大で支柱パイプ２と筋交い４との連結位置の二方継手１３の下端部までずれるので、二点鎖線で示した脚部５’は、地表からの高さＨ’の位置でより高く支柱パイプ２に固定され（図４Ａ）、かかる状態でフェンス本体１’を傾けると、図４Ｂに二点鎖線で示したように、当該脚部５’によって前記θよりも大きく傾斜する角度θ’分傾斜して立設する。このように、支柱パイプ２に支持される脚部５をスライド移動させて、高さ（Ｈ）を変えることにより、このバリケードフェンス（フェンス本体１）の傾斜角度（θ）を変えることができる。
また、位置決め具６を使わない方法として、基端部５０ａ、５１ａに繋がるＴ形継手１１に変えて、図７の様な半割り状の継手１１’とすることにより、半割り状の継手１１’を合わせて支柱パイプ２を挟持し、略ネジ止めするタイプの継手でも良い。
【００１７】
前記した脚部５を支柱パイプ２の所望位置で固定する手段として、図６Ａに示したような支柱パイプ２に着脱自在な位置決め具６が好適である。
同図々示例の位置決め具６は、支柱パイプ２に外嵌挟持する大きさ・形状のものとして、例えば、端部に突片６２、６２を有する半割り状の一対のリング体６ａ、６ｂが各基端６０、６１同士を係止し、他端部で当接する前記突片６２、６２同士には共通のネジ孔６３、６３が設けられ、ネジ６４で止めることが自在に構成されている。
よって、支柱パイプ２と筋交い４との連結位置以下で、脚部５の所望の高さＨの位置が決まったら、この脚部５の上方のＴ形継手１１に通す支柱パイプ２の当該上方のＴ形継手１１の上端位置に、この位置決め具６をネジ止めして固定するだけで、脚部５は所望の高さＨの位置で支柱パイプ２に確実に位置決め固定される。
一方、脚部５の高さＨの位置を変える場合は、前記位置決め具６のネジ６４を緩めるか外して、支柱パイプ２を移動するか取り付け、新たな所望の高さ位置に配置された脚部５の上方のＴ形継手１１の上端位置に、当該位置決め具６をネジ６４で止めて固定すればよい（図４Ａ参照）。加えて、上方のＴ形継手１１の下端位置（図５Ａ）や、下方のＴ形継手１１の下端位置（図５Ｂ）に、異なる位置決め具６’を取り付け、ネジ６４で止めることにより、脚部５の位置ズレを効果的に防ぐことができる。
【００１８】
また、前記脚部５をなす傾斜パイプ５０には、前記フェンス本体１の筋交い４に着脱自在な固定具７を設けて好適に実施される。図６Ｂに示したように、この固定具７は、短管状の嵌合筒７ａと、その嵌合筒７ａの側面で垂直方向に開口されたＣ形筒状のパイプ嵌合部７ｂとが接合されて成る。よって、脚部５を使用しないときは、図１に示したように、フェンス本体１の収納スペースＳ内に収納された脚部５の当該固定具７のパイプ嵌合部７ｂを、隣接する筋交い４に嵌合して固定する。脚部５を使用するときは、前記筋交い４に嵌合された固定具７のパイプ嵌合部７ｂを筋交い４から引き抜けば固定状態は簡単に解除され、脚部５は回動自在となる。
【００１９】
したがって、使用者がフェンス本体１を立てる時には、フェンス本体１の面内に、各支柱パイプ２を回転軸にして水平方向に回動自在な一対の脚部５、５が、当該支柱パイプ２に所定高さＨの位置に地面から浮いた状態で設けられている（図２Ａ）から、フェンス本体１を持って少し傾ければ、同フェンス本体１の前面（又は後面）に回動して突き出し、さらに倒せば、その突き出た一対の脚部５、５の先鋭先端部１０が地面に着地してフェンス本体１が所望の傾斜角度に傾斜して立設する（図３、図５）。
【００２０】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００２１】
１      フェンス本体
２      支柱パイプ
２０    上端部
３      横パイプ
３ａ    下方の横パイプ
４      筋交い
５      脚部
５０    傾斜パイプ
５０ａ  基端部
５１    水平パイプ
５１ａ  基端部
５２    垂直パイプ
６      位置決め具
７      固定具
Ｓ      収納スペース
θ      傾斜角度
Ｈ      高さ
【図１】
2020066907.tif 000003
【図２】
2020066907.tif 000004
【図３】
2020066907.tif 000005
【図４】
2020066907.tif 000006
【図５】
2020066907.tif 000007
【図６】
2020066907.tif 000008
【図７】
2020066907.tif 000009